(57)【要約】【課題】フランジ部Ｐａを有する配管Ｐの接続作業の簡便化を図る。【解決手段】コネクタ１０は、ハウジング２０の第４接続孔２６ｄの内部に延びた突出片６６をリテーナ４０の干渉係合端４４ｂに干渉させ、リテーナ４０を半装着の状態とする。配管Ｐの挿入に伴い、突出片６６は、フランジ部Ｐａにより配管径方向に一旦拡張して撓んだ後に、配管中心方向に弾発復帰し、凹状陥没部６９にフランジ部Ｐａを入り込ませて係合させる。この突出片６６の弾発復帰とその際のフランジ部Ｐａと凹状陥没部６９との係合とにより、作業者に、配管の挿入完了の状態を認知する節度感を付与する。節度感を付与した際の突出片６６は、干渉部６８を干渉係合端４４ｂと干渉しないようにするので、半装着のリテーナ４０を速やかに装着できる。【選択図】図２
2009236206.tif 000002
【特許請求の範囲】
【請求項１】
外周に環状突起を有する配管の接続に用いられるコネクタであって、
前記配管が挿入されて前記環状突起を取り囲む挿入孔を有するハウジングと、
前記挿入孔の軸心と交差する交差方向から前記ハウジングに装着され、前記交差方向から前記挿入孔に入り込むようにして備えた係合部を、前記挿入孔の内部で前記環状突起に干渉させて前記配管の抜止を図るリテーナと、
前記挿入孔に配設され、前記挿入孔への配管の挿入未了の状態では、前記リテーナの前記係合部と干渉して前記リテーナの装着完了を妨げて前記リテーナを半装着状態に保持する半装着保持部とを備え、
該半装着保持部は、
前記挿入孔の内部で前記軸心に沿って延びた板状の弾発片とされ、前記配管の挿入に伴って前記環状突起により第１退避位置まで配管径方向に拡張して撓み、前記環状突起が前記リテーナの前記係合部を超えるまで前記配管の挿入が進むと、前記リテーナの前記係合部と干渉しない第２退避位置まで前記第１退避位置から弾発して戻って前記環状突起と係合する
コネクタ。
【請求項２】
前記半装着保持部は、前記挿入孔の開口側に前記リテーナの前記係合部と干渉する干渉部位を備え、該干渉部位より前記挿入孔の奥側の部位を、前記第１退避位置から前記第２退避位置に弾発して戻る際に、前記環状突起に係合する係合部位とする請求項１に記載のコネクタ。
【請求項３】
前記半装着保持部は、前記係合部位を前記環状突起が入り込む凹形状としている請求項１または請求項２に記載のコネクタ。
【請求項４】
請求項１ないし請求項３いずれかに記載のコネクタであって、
前記挿入孔に配設して固定される環状体を備え、
前記半装着保持部を前記環状体の端面に一体に形成して備える
コネクタ。
【請求項５】
請求項４に記載のコネクタであって、
前記挿入孔に配設され、前記挿入された前記配管の先端側の管路部の外周をシールするシール部材を備え、
前記環状体により、前記シール部材を前記挿入孔の配設箇所に保持する
コネクタ。
【請求項６】
前記半装着保持部は、前記ハウジングと一体に形成されている請求項１ないし請求項３いずれかに記載のコネクタ。
【発明の詳細な説明】
【技術分野】
【０００１】
本発明は、外周に環状突起を有する配管の接続に用いられるコネクタに関する。
【背景技術】
【０００２】
この種のコネクタは、クイックコネクタとも称されて配管接続の簡便化を目的として種々提案されている（例えば、特許文献１）。この特許文献のコネクタは、ハウジングに装着するリテーナ自体に、ハウジングの挿入孔への配管の挿入未了の状態ではリテーナの装着完了を妨げる検知爪を備える。この検知爪は、ハウジングにおけるリテーナ装着孔に係合しており、挿入孔への配管挿入に伴って環状突起に干渉して当該突起より外側に撓むことで検知爪の係合が解除されて、リテーナの装着ができるようにされている。
【０００３】
【特許文献１】特開２００５−１７２１６１号公報
【発明の開示】
【発明が解決しようとする課題】
【０００４】
上記した特許文献で提案されたコネクタでは、検知爪の係合解除がなされない限りリテーナの装着ができない。そして、検知爪の係合解除には、リテーナの係合爪を配管の環状突起により外側に撓んだままの状態としておくことが不可欠である。その一方、検知爪は、配管挿入に伴う環状突起との干渉の程度に応じて撓む。よって、ハウジングの挿入孔への配管挿入に際しては、どの程度まで配管を挿入すれば検知爪を係合解除可能なまで外側に撓ませることができるのか認知できず、煩雑であった。
【０００５】
本発明は、上記した課題を踏まえ、環状突起を有する配管の接続作業の簡便化を図ることをその目的とする。
【課題を解決するための手段】
【０００６】
上記した目的の少なくとも一部を達成するために、本発明では、以下の構成を採用した。
【０００７】
[適用：コネクタ]
外周に環状突起を有する配管の接続に用いられるコネクタであって、
前記配管が挿入されて前記環状突起を取り囲む挿入孔を有するハウジングと、
前記挿入孔の軸心と交差する交差方向から前記ハウジングに装着され、前記交差方向から前記挿入孔に入り込むようにして備えた係合部を、前記挿入孔の内部で前記環状突起に干渉させて前記配管の抜止を図るリテーナと、
前記挿入孔に配設され、前記挿入孔への配管の挿入未了の状態では、前記リテーナの前記係合部と干渉して前記リテーナの装着完了を妨げて前記リテーナを半装着状態に保持する半装着保持部とを備え、
該半装着保持部は、
前記挿入孔の内部で前記軸心に沿って延びた板状の弾発片とされ、前記配管の挿入に伴って前記環状突起により第１退避位置まで配管径方向に拡張して撓み、前記環状突起が前記リテーナの前記係合部を超えるまで前記配管の挿入が進むと、前記リテーナの前記係合部と干渉しない第２退避位置まで前記第１退避位置から弾発して戻って前記環状突起と係合する
ことを要旨とする。
【０００８】
上記構成のコネクタでは、その有するハウジングにリテーナが挿入孔の軸心と交差する交差方向から前記ハウジングに装着され、リテーナ装着が完了すると、リテーナは、その有する係合部を挿入孔の内部で配管の環状突起に干渉させて配管の抜止を図る。その一方、挿入孔への配管の挿入未了の状態では、挿入孔の内部で軸心に沿って延びた板状の弾発片である半装着保持部がリテーナの係合部と干渉してリテーナの装着完了を妨げるので、リテーナは半装着状態に保持される。このリテーナ半装着の状態において、配管が挿入孔に挿入されると、その挿入に伴って、半装着保持部は、配管の環状突起により第１退避位置まで配管径方向に拡張して撓む。この第１退避位置までの半装着保持部材の撓みは、配管の環状突起によりもたらせられるので、半装着保持部材は、第１退避位置に撓むことでリテーナの係合部と干渉しないようになり得るが、この状況下で、配管の環状突起はリテーナの係合部を超えていないので、リテーナは、その係合部が環状突起の外周に達するまでしか装着できない。つまり、半装着保持部が第１退避位置まで撓んだ状態では、リテーナの半装着は保持されている。
【０００９】
このように第１退避位置まで配管径方向に拡張して撓んでいた半装着保持部は、環状突起がリテーナの係合部を超えるまで配管の挿入が進むと、第２退避位置まで第１退避位置から弾発して戻って環状突起と係合する。つまり、半装着保持部は、配管の挿入に伴って一旦は拡張して撓んだ後に、環状突起がリテーナの係合部を超えるまで配管の挿入が進むと、第２退避位置に弾発復帰して環状突起と係合する。よって、この弾発復帰とその際の環状突起との係合とにより、作業者には、環状突起がリテーナの係合部を超えるまで配管挿入が進んだ挿入完了の状態を認知する節度感を付与できる。しかも、この節度感を付与した際に半装着保持部が留まる第２退避位置は、リテーナの係合部と干渉しない位置であることから、節度感による配管挿入の完了認知に伴い、リテーナを半装着状態から速やかに装着完了状態とできる。この結果、上記構成を有するコネクタによれば、環状突起を有する配管を容易に接続でき、作業効率が高まる。なお、第２退避位置への半装着保持部の弾発復帰は、環状突起がリテーナの係合部を超えてから起きるので、この状態では、リテーナと環状突起とは配管軸方向にずれている。よって、環状突起はリテーナ装着の妨げとはならず、既述したようにリテーナを半装着状態から装着完了状態とできる。
【００１０】
上記したコネクタは、次のような態様とすることができる。例えば、板状弾発片の半装着保持部を、前記挿入孔の開口側の干渉部位とこれより挿入孔の奥側の係合部位とを有するものとした上で、干渉部位については、これを前記リテーナの前記係合部と干渉するようにし、係合部位については、これを半装着保持部が前記第１退避位置から前記第２退避位置に弾発して戻る際に前記環状突起に係合するようにする。こうすれば、配管の環状突起が挿入孔開口側の干渉部位と干渉することで、半装着保持部は第１退避位置まで配管径方向に拡張して撓む。そして、環状突起がこの干渉部位を超えると、半装着保持部は、環状突起には係合部位を係合させるよう弾発して第２退避位置に戻る。
【００１１】
また、板状弾発片の半装着保持部の係合部位を前記環状突起が入り込む凹形状とすれば、より確実に上記した節度感を付与できるので、環状突起を有する配管の接続が簡便となると共に、作業効率も高まる。
【００１２】
更に、前記挿入孔に配設して固定される環状体を備えるようにした上で、前記半装着保持部を前記環状体の端面に一体に形成して備えるようにできる。こうすれば、挿入孔への半装着保持部の配設が容易となる。
【００１３】
また、この場合、前記挿入された前記配管の先端側の管路部の外周をシールするシール部材を前記挿入孔に配設した上で、このシール部材を前記環状体により前記挿入孔の配設箇所に保持するようにすることもできる。つまり、環状体をシール部材のストッパリングとして機能させる。こうすれば、シール部材の保持と挿入孔への半装着保持部の配設とを環状体で行うことができるので、部品点数の低減と、それに伴う構成の簡略化、組み付け作業の簡略化を図ることができる。
【００１４】
その一方、半装着保持部を前記ハウジングと一体に形成するようにもできる。こうすれば、取り扱い部品が少なくなる分、組み付け作業の簡略化を図ることができる。
【発明を実施するための最良の形態】
【００１５】
以下、本発明の実施の形態を実施例に基づいて説明する。図１は本発明の一実施例にかかるコネクタ１０を分解して示す斜視図、図２は配管Ｐの挿入未了状態でリテーナ４０を半装着した様子を示す説明図、図３は配管Ｐの挿入完了状態で配管Ｐとコネクタ１０とを配管軸線方向に沿って半断面視して示す説明図である。
【００１６】
コネクタ１０は、金属製または樹脂製の配管Ｐを合成樹脂製のチューブＴｂに接続するためのものであり、ハウジング２０と、リテーナ４０と、Ｏリングからなるシール部材５６と、ストッパリング６０とを備えている。配管Ｐは、金属製または樹脂製の丸パイプ材から形成され、配管先端面から所定距離を隔てた位置の外周面上に、環状に突出したバルジ部からなるフランジ部Ｐａを備える。そして、この配管Ｐは、フランジ部Ｐａから先端側を接続部Ｐｂとし、その外周面をシール部材５６によりシールされるシール面としている。この場合、接続部Ｐｂの表面祖度は、Ｒｚ１２．５μｍ以下（ＪＩＳ：Ｂ０６０１−１９９４）になっており、シール部材５６で押圧されたときのシール性を確保している。
【００１７】
ハウジング２０は、筒状の樹脂成型品とされ、一端側をリテーナ４０の装着筐体２２とし、他端側をチューブＴｂが圧入装着されるタケノコ状のチューブ接続部２４とする。なお、以下、コネクタ１０の装着筐体２２の側を前側、チューブ接続部２４の側を後側として、以下の説明を行なう。
【００１８】
ハウジング２０は、その筒状の内部を、後方から前方に向かって多段の第１ないし第４の接続孔２６ａ〜２６ｄとする。第１接続孔２６ａは、チューブＴｂに至る流路であり、第２接続孔２６ｂは、配管Ｐの接続部Ｐｂが挿入される配管先端挿入孔である。第３接続孔２６ｃは、シール部材５６と後述のストッパリング６０の装着孔であり、後方側からシール部材５６とストッパリング６０（詳しくはリング部６２）を並べて収容する。この場合、第３接続孔２６ｃの周壁には環状凹所２７が形成されており、この環状凹所２７にストッパリング６０が有する環状凸部６４を嵌め込むことで、シール部材５６は、第３接続孔２６ｃに収容されてストッパリング６０により保持される。第４接続孔２６ｄは、装着筐体２２の外形に倣って方形の有底孔であり、配管Ｐの挿入に伴いフランジ部Ｐａが入り込んで当該フランジ部を取り囲むフランジ挿入孔である。
【００１９】
この他、ハウジング２０は、リテーナ４０の装着のため、装着筐体２２の図１における左右側面に二筋の案内溝２８を備え、筐体上面には、前方側の案内溝２８に繋がるリテーナ装着溝２９を備える。このリテーナ装着溝２９は、案内溝２８との連続箇所において有底とされており、この有底箇所以外にあっては貫通されて、リテーナ装着孔３０とされている。図４はハウジング２０の案内溝２８の下端部周辺を断面視して示す説明図である。この図４に示すように、案内溝２８の下端は、リテーナ４０が有するリテーナ係合爪４３の係合凹所２８ｂとされている。
【００２０】
リテーナ４０は、樹脂成型品であり、上記した第４接続孔２６ｄの軸心と直交する方向からのハウジング２０への装着を図るため、リテーナ頂上をなす板状のリテーナ操作部４１の両端にそれぞれ二本の係合腕４２を備え、その先端を案内溝２８下端の係合凹所２８ｂに係合するリテーナ係合爪４３とする。また、このリテーナ４０は、配管Ｐの抜止を図るべく、リテーナ操作部４１の長手方向において板状に突出した左右係合腕４４と中央係合腕４６とを備え、左右係合腕４４の先端を後述のストッパリング６０の突出片６６に干渉する干渉係合端４４ｂとする。上記した左右係合腕４４と中央係合腕４６は、ハウジング２０へのリテーナ４０の装着に際して、リテーナ操作部４１におけるリテーナ装着溝２９のリテーナ装着孔３０から第４接続孔２６ｄの内部に当該接続孔の軸芯と直交する方向から入り込む。
【００２１】
図５はリテーナ４０を正面視して示す説明図である。この図５に示すように、リテーナ４０は、この正面視において、中央係合腕４６と左右係合腕４４に円弧形状で切り欠いた円弧周縁４８を備え、干渉係合端４４ｂには円弧形状に切り欠いた円弧周縁４９を備える。円弧周縁４８は、配管Ｐの管路部外径ＰΦより大きく、フランジ部Ｐａの外周縁直径ＰａΦより小さく形成され、円弧周縁４９は、干渉係合端４４ｂの下端面積を小さくするよう、円弧周縁４８に繋げて円弧状に形成されている。ハウジング２０へのリテーナ４０の装着が完了した状態では、左右係合腕４４と中央係合腕４６は、配管Ｐおよびフランジ部Ｐａに対して図５に示すような位置関係を取ることから、上記した円弧周縁４８をフランジ部Ｐａに干渉させて配管Ｐの抜止を図る。左右係合腕４４と中央係合腕４６とによるこうした抜止を図るため、ハウジング２０では、配管Ｐにおけるフランジ部Ｐａの形成位置を考慮して、リテーナ装着孔３０がリテーナ装着溝２９と共に形成されている。
【００２２】
図１に示すストッパリング６０は、樹脂成型品であり、環状のリング部６２の一端側に二つの突出片６６を備え、リング部６２の外周壁に環状凸部６４を備える。二つの突出片６６は、リング部６２に等ピッチで形成されている。そして、この突出片６６は、その基部に二筋の半円状の溝６７を備え、先端側から、鍵状の干渉部６８と凹状陥没部６９とを並べて備える。凹状陥没部６９は、配管Ｐのフランジ部Ｐａが入り込むよう形成されている。
【００２３】
上記構成のストッパリング６０がそのリング部６２を第３接続孔２６ｃに入り込ませて収容されると、突出片６６は、第４接続孔２６ｄ内に位置して対向すると共に、第４接続孔２６ｄの内部で当該接続孔の軸心に沿って延びる。突出片６６を有するストッパリング６０は樹脂成型品であり、突出片６６は、リング部６２から突出した板状体であることから、接続孔の径方向に拡張可能な弾発片となる。そして、この突出片６６は、図２や図３に示すように、干渉部６８を、ハウジング２０に装着されたリテーナ４０における左右係合腕４４の干渉係合端４４ｂに干渉させて、リテーナ４０の装着完了を妨げる。よって、配管Ｐの挿入未了の状態では、リテーナ４０は、突出片６６の干渉部６８と干渉係合端４４ｂとの干渉により、図２や図３に示す半装着の状態に保持される。
【００２４】
リング部６２と突出片６６とは、配管Ｐの接続部Ｐｂの外径より大きく形成されているので、ストッパリング６０の収容済みのハウジング２０において、配管Ｐは、その接続部Ｐｂをリング部６２と突出片６６およびシール部材５６に入り込むようハウジング２０の第２接続孔２６ｂに挿入される。突出片６６の干渉部６８は、その外周端がフランジ部Ｐａの外径より大きくされているので、配管Ｐは、上記した挿入に際して、フランジ部Ｐａの端面を干渉部６８に押し当てる。更に配管Ｐの挿入を進めると、突出片６６は、フランジ部Ｐａにより配管径方向に拡張して撓むので、配管接続に向けて配管挿入が継続される。突出片６６の拡張は、突出片基部の溝６７により容易に起きる。
【００２５】
図６は突出片６６により半装着の状態とされたリテーナ４０と配管Ｐとの位置関係を示す説明図である。この図６に示すように、リテーナ４０の半装着の状態では、干渉係合端４４ｂは、フランジ部Ｐａの外側に位置しつつ突出片６６の干渉部６８に干渉している。円弧周縁４９は、フランジ部Ｐａの外周側に位置することから、リテーナ４０の半装着の状態において、配管Ｐは、そのフランジ部Ｐａを干渉係合端４４ｂや円弧周縁４９に干渉させることなく、図における紙面奥側に挿入可能であり、突出片６６の干渉部６８に一旦干渉した後、既述したように突出片６６を配管径方向に拡張するよう撓ませて、更に挿入される。
【００２６】
次に、配管Ｐの接続の様子を説明する。図７は配管Ｐの挿入に伴う突出片６６の挙動を示す説明図である。まず、配管挿入前のコネクタ１０の様子について説明する。配管挿入前、即ち配管接続前において、コネクタ１０は、リテーナ４０の係合腕４２をハウジング２０の案内溝２８に挿入させてリテーナ４０をハウジング２０に装着させる。このリテーナ装着に伴い、コネクタ１０は、リテーナ４０の中央係合腕４６と中央係合腕４６とをリテーナ装着孔３０から第４接続孔２６ｄの内部に入り込ませる。ハウジング２０の第３接続孔２６ｃに収容済みのストッパリング６０は、既述したように突出片６６を第４接続孔２６ｄの内部に位置させるので、リテーナ４０は、左右係合腕４４の干渉係合端４４ｂが突出片６６の干渉部６８に干渉することで、それ以上の挿入は妨げられ、図２に示す半装着の状態で保持される。
【００２７】
このようにリテーナ４０の半装着の状態で、配管Ｐは、その接続部Ｐｂの側から第４接続孔２６ｄに挿入される。まず、配管Ｐは、既述したように半装着のリテーナ４０における干渉係合端４４ｂや円弧周縁４９に干渉することなく第４接続孔２６ｄを通過し、接続部Ｐｂがリング部６２やシール部材５６を超えて第２接続孔２６ｂに入り込むまで挿入される（図７（Ａ））。こうなると、配管Ｐのフランジ部Ｐａは、突出片６６の先端の干渉部６８に干渉するが、さらなる配管挿入により、突出片６６を配管径方向に拡張するよう撓ませる（図７（Ｂ））。この図７（Ｂ）に示す姿勢にある突出片６６は、本発明における第１退避位置にあることになる。そして、上記したように拡張して撓んだ突出片６６は、この撓みがフランジ部Ｐａによりもたらせられたものであることから、リテーナ４０の干渉係合端４４ｂと干渉しなくなる。ところが、この状況では、フランジ部Ｐａはリテーナ４０の干渉係合端４４ｂを超えていないので、リテーナ４０は、干渉係合端４４ｂがフランジ部Ｐａの外周に達するまでしか装着でず、リテーナ４０の半装着は保持されることになる。
【００２８】
突出片６６が既述したように撓むので、配管Ｐは更に挿入される。そして、配管Ｐの挿入が進んで、フランジ部Ｐａが半装着状態のリテーナ４０の左右係合腕４４や中央係合腕４６を超えると、フランジ部Ｐａは突出片６６の凹状陥没部６９に入り込んで係合する（図７（Ｃ））。こうなると、この図７（Ｃ）に示すように、干渉部６８は干渉係合端４４ｂと干渉しないと共に、フランジ部Ｐａはリテーナ４０の左右係合腕４４および中央係合腕４６から配管軸方向後端側にずれているので、半装着のリテーナ４０を速やかに装着できる。具体的には、リテーナ４０を図２や図３に示す半装着の状態から更に押し込んで、係合腕４２の下端のリテーナ係合爪４３をハウジング２０における案内溝２８の係合凹所２８ｂに係合させる（図４参照）。なお、図７（Ｃ）に示す姿勢にある突出片６６は、本発明における第２退避位置に弾発復帰したことになる。
【００２９】
こうしてリテーナ４０が装着されると、配管Ｐは、接続部Ｐｂをシール部材５６によりシールされた上で、コネクタ１０によりチューブＴｂに接続される。そして、この接続状態において、本実施例のコネクタ１０は、リテーナ４０が有する左右係合腕４４と中央係合腕４６とを第４接続孔２６ｄの内部で配管Ｐのフランジ部Ｐａに干渉させて、配管の抜止を図る。
【００３０】
以上説明したように、本実施例のコネクタ１０では、配管Ｐの挿入を完了させて、半装着状態のリテーナ４０の装着を完了させるに当たり、配管Ｐの挿入に伴って、フランジ部Ｐａにより突出片６６を図７（Ｂ）に示すように配管径方向に一旦拡張して撓ませる。そして、コネクタ１０は、こうして一旦拡張して撓ませた突出片６６を、フランジ部Ｐａが半装着のリテーナ４０の左右係合腕４４と中央係合腕４６を超えるまで配管Ｐの挿入が進むと配管中心方向に弾発復帰させて、凹状陥没部６９にフランジ部Ｐａを入り込ませて係合させる。よって、この突出片６６の弾発復帰とその際のフランジ部Ｐａと凹状陥没部６９との係合とにより、作業者には、フランジ部Ｐａがリテーナ４０の左右係合腕４４と中央係合腕４６を超えるまで配管挿入が進んだ挿入完了の状態を認知する節度感を付与できる。しかも、この節度感を付与した際の突出片６６は、図７（Ｃ）に示すように、配管挿入前まで干渉係合端４４ｂに干渉していた干渉部６８をこの干渉係合端４４ｂと干渉しない姿勢にするので、節度感による配管挿入の完了認知に伴い、半装着のリテーナ４０を速やかに装着できる。この結果、本実施例のコネクタ１０によれば、配管Ｐの挿入完了の節度感付与により、フランジ部Ｐａを有する配管Ｐの接続作業の簡便化することができ、作業効率も高まる。
【００３１】
また、本実施例のコネクタ１０では、配管Ｐの挿入完了の節度感付与に際して、突出片６６の凹状陥没部６９にフランジ部Ｐａが入り込むようにしたので、節度感付与と共に、フランジ部Ｐａ、延いては配管Ｐが不用意に前後しないように保持できる。よって、節度感による挿入完了の認知後に行うリテーナ４０の装着完了作業を確実に行うことができる。しかも、凹状陥没部６９へのフランジ部Ｐａの入り込みにより、節度感も強くできるので、挿入完了認知の確実性も高まり好ましい。
【００３２】
更に、本実施例のコネクタ１０では、ストッパリング６０のリング部６２の端面から突出片６６を突出させた上で、リング部６２に設けた環状凸部６４を第３接続孔２６ｃの環状凹所２７に嵌め込んで、ストッパリング６０を第３接続孔２６ｃに固定した。よって、第４接続孔２６ｄにおいて、突出片６６を配管軸心に沿って延びるよう容易に配設できる。また、第３接続孔２６ｃへのストッパリング６０の固定と共に突出片６６の配設も完了するので、簡便である。
【００３３】
また、本実施例のコネクタ１０では、配管Ｐの接続部Ｐｂをその外周でシールするシール部材５６を第３接続孔２６ｃに配設した上で、このシール部材５６をストッパリング６０（詳しくは、リング部６２）で保持する。よって、第３接続孔２６ｃでのシール部材５６の保持と第４接続孔２６ｄでの突出片６６の配設とを、リング部６２で行うことができるので、部品点数の低減と、それに伴う構成の簡略化、組み付け作業の簡略化を図ることができる。
【００３４】
なお、配管Ｐを接続済みのコネクタ１０から配管Ｐの接続を解くには、リテーナ４０のリテーナ係合爪４３をハウジング２０の係合凹所２８ｂから外して、リテーナ４０を引き抜けばよい。そうすれば、リテーナ４０の左右係合腕４４と中央係合腕４６はフランジ部Ｐａに干渉しない位置まで退避するので、配管Ｐを引き抜くことができる。
【００３５】
次に、他の実施例について説明する。この実施例では、シール部材５６のストッパ機能を兼ね備えないリング部６２Ａに突出片６６に代わる突出片６６Ａを一体とした点に特徴がある。図８は他の実施例のコネクタ１０Ａにおける突出片６６Ａと一体のリング部６２Ａとを概略的に示す斜視図、図９は図７相当図でありコネクタ１０Ａにおける突出片６６Ａの挙動を示す説明図である。
【００３６】
図８に示すように、リング部６２Ａは、その一端側に突出片６６Ａを備える。この突出片６６Ａは、湾曲してリング内側に凸に延びて湾曲した湾曲部位を、既述した突出片６６における干渉部６８に代わる干渉部６８Ａとし、当該干渉部から延びて干渉部６８Ａと反対に湾曲した先端部位を、凹状陥没部６９に代わるフランジ係合部６９Ａとする。そして、この実施例では、向かい合う突出片６６Ａを、リング部６２Ａの一方端側（図における上方側）にオフセットして形成した。
【００３７】
リング部６２Ａは、環状であることから、図９に示すようにこのリング部６２Ａが装着されるハウジング２０Ａは、第４接続孔２６ｄを有底の円形孔としている。そして、ハウジング２０Ａは、接続孔周壁の環状凹所３５にリング部６２Ａの環状凸部６４を嵌め込むことで、第４接続孔２６ｄにリング部６２Ａを保持する。このリング部保持に当たっては、干渉部６８Ａが第４接続孔２６ｄの開口側となるようにされる。なお、ハウジング２０Ａを既述した方形の有底孔の第４接続孔２６ｄを有するハウジングとすれば、リング部６２Ａを方形の環状体とすればよい。また、コネクタ１０Ａにあっては、シール部材５６は、単なる環状体のストッパリング６０Ａにて保持されている。
【００３８】
こうしてリング部６２Ａが第４接続孔２６ｄに保持されると、図９に示すように、突出片６６Ａにあっても、第４接続孔２６ｄ内に位置して対向すると共に、第４接続孔２６ｄの内部で当該接続孔の軸心に沿って延び、接続孔の径方向に拡張可能な弾発片となる。そして、この突出片６６Ａは、その干渉部６８Ａを、図９（Ａ）に示すように、リテーナ４０の干渉係合端４４ｂに干渉させて、リテーナ４０の装着完了を妨げる。よって、配管Ｐの挿入未了の状態では、リテーナ４０は、突出片６６Ａの干渉部６８Ａと干渉係合端４４ｂとの干渉により、既述したように半装着の状態に保持される。なお、図９では、干渉係合端４４ｂはフランジ部Ｐａと干渉して図示されているが、既述したように、突出片６６Ａはリング部６２Ａの上方側にオフセットされているので（図８参照）、紙面上下方向で見れば、この干渉係合端４４ｂはフランジ部Ｐａより紙面上方に位置することになる。よって、配管挿入未了の状態、即ちリテーナの半装着の状態では、干渉係合端４４ｂはフランジ部Ｐａと干渉することはない。後述するようにリテーナの装着が完了すれば、干渉係合端４４ｂは、既述した実施例の場合と同様に配管Ｐの側に下がるので、フランジ部Ｐａと干渉することになる。
【００３９】
図８や図９（Ａ）に示すように、突出片６６Ａは、干渉部６８Ａをリング内側に湾曲させているので、配管Ｐは、配管挿入に伴って、フランジ部Ｐａの端面を干渉部６８Ａに押し当てる。更に配管Ｐの挿入を進めると、突出片６６Ａは、フランジ部Ｐａにより配管径方向に拡張されて撓み（図９（Ｂ））、フランジ部Ｐａが半装着状態のリテーナ４０の左右係合腕４４や中央係合腕４６を超えると、フランジ部Ｐａは、フランジ外周縁において突出片６６Ａ先端のフランジ係合部６９Ａと係合する（図９（Ｃ））。こうなると、図９（Ｃ）に示すように、配管挿入前まで干渉係合端４４ｂに干渉していた干渉部６８Ａは、もはや干渉係合端４４ｂと干渉しないようになるので、半装着のリテーナ４０を既述したように速やかに装着できる。
【００４０】
従って、図８や図９に示す形態のコネクタ１０Ａによっても、配管Ｐの挿入に伴って、フランジ部Ｐａにより突出片６６Ａを配管径方向に一旦拡張して撓ませた後に、この突出片６６Ａを配管中心方向に弾発復帰させて、フランジ係合部６９Ａをフランジ部Ｐａの外縁に係合させる。この結果、この実施例のコネクタ１０Ａによっても、突出片６６Ａの弾発復帰とその際のフランジ部Ｐａ外縁へのフランジ係合部６９Ａの係合とにより、作業者に挿入完了の状態を認知する節度感を付与できるので、既述した効果を奏することができる。
【００４１】
次に、また別の実施例について説明する。この実施例では、突出片６６Ａに代わる突出片６６Ｂをハウジングに一体とした点に特徴がある。図１０は図９相当図でありコネクタ１０Ｂに突出片６６Ｂの挙動を示す説明図である。
【００４２】
図１０に示すように、ハウジング２０Ｂは、その第４接続孔２６ｄの奥壁に突出片６６Ｂを備える。この突出片６６Ｂは、屈曲しつつ第４接続孔２６ｄ内において配管軸芯方向の前端側に延び、外側に屈曲する。そして、突出片６６Ｂは、その先端の屈曲部位を、既述した突出片６６における干渉部６８に代わる干渉部６８Ｂとし、当該干渉部より接続孔奥壁側の突出片基部側部位を、凹状陥没部６９に代わるフランジ係合部６９Ｂとする。そして、この実施例では、向かい合う突出片６６Ｂを、既述したリング部６２Ａの突出片６６Ａと同様、第４接続孔２６ｄの一方端側（図１０における紙面手前側）にオフセットして形成した。
【００４３】
図１０に示すコネクタ１０Ｂにあっても、突出片６６Ｂを第４接続孔２６ｄ内に位置させて対向させると共に、突出片６６Ｂを、第４接続孔２６ｄの内部で当該接続孔の軸心に沿って延び、接続孔の径方向に拡張可能な弾発片とする。そして、この突出片６６Ｂは、その干渉部６８Ｂを、図１０（Ａ）に示すように、リテーナ４０の干渉係合端４４ｂに干渉させて、リテーナ４０の装着完了を妨げる。よって、配管Ｐの挿入未了の状態では、リテーナ４０は、突出片６６Ｂの干渉部６８Ｂと干渉係合端４４ｂとの干渉により、既述したように半装着の状態に保持される。なお、この図１０にあっても干渉係合端４４ｂはフランジ部Ｐａと干渉して図示されているが、既述したように、突出片６６Ｂは図８の突出片６６Ａと同様にオフセットされているので、リテーナの半装着の状態では、干渉係合端４４ｂはフランジ部Ｐａと干渉することはない。リテーナ装着完了の際には、干渉係合端４４ｂは、既述した実施例の場合と同様に配管Ｐの側に下がるので、フランジ部Ｐａと干渉することになる。
【００４４】
図１０（Ａ）に示すように、配管Ｐは、配管挿入に伴って、フランジ部Ｐａの端面を干渉部６８Ｂに押し当てる。更に配管Ｐの挿入を進めると、突出片６６Ｂは、フランジ部Ｐａにより配管径方向に拡張されて撓み（図１０（Ｂ））、フランジ部Ｐａが半装着状態のリテーナ４０の左右係合腕４４や中央係合腕４６を超えてストッパリング６０Ａの端面に達すると、フランジ部Ｐａは、フランジ外周縁において突出片６６より奥側のフランジ係合部６９Ｂと係合する（図１０（Ｃ））。こうなると、図１０（Ｃ）に示すように、配管挿入前まで干渉係合端４４ｂに干渉していた干渉部６８Ｂは、もはや干渉係合端４４ｂと干渉しないようになるので、半装着のリテーナ４０を既述したように速やかに装着できる。
【００４５】
従って、図１０に示す形態のコネクタ１０Ｂによっても、配管Ｐの挿入に伴って、フランジ部Ｐａにより突出片６６Ｂを配管径方向に一旦拡張して撓ませた後に、この突出片６６Ｂを配管中心方向に弾発復帰させて、フランジ係合部６９Ｂをフランジ部Ｐａに係合させる。この結果、この実施例のコネクタ１０Ｂによっても、突出片６６Ｂの弾発復帰とその際のフランジ部Ｐａへのフランジ係合部６９Ｂの係合とにより、作業者に挿入完了の状態を認知する節度感を付与できるので、既述した効果を奏することができる。なお、この実施例では、図１０（Ｃ）に示す配管接続状態において、突出片６６Ｂは配管軸芯方向でフランジ部Ｐａより前端側に延びており、配管挿入前にこの突出片６６Ｂの干渉部６８Ｂに干渉係合端４４ｂを干渉させる左右係合腕４４もフランジ部Ｐａより前端側に位置する。よって、左右係合腕４４の形状については、干渉係合端４４ｂを配管挿入前では突出片６６Ｂの干渉部６８Ｂに干渉させつつ、図１０（Ｃ）に示す配管接続状態では、弾発復帰した突出片６６Ｂとの干渉を避けて左右係合腕４４が配管Ｐの側に進むよう、左右係合腕４４の幅方向の形状を適宜変更すればよい。
【００４６】
以上、本発明の実施例について説明したが、この発明は上記実施例に限られるものではなく、その要旨を逸脱しない範囲において種々の態様において実施することが可能である。例えば、上記の実施例では、フランジ部Ｐａを配管全周に亘って備える配管Ｐについて説明したが、リテーナ４０の左右係合腕４４と中央係合腕４６との干渉を起こす範囲について、少なくともフランジ状とされた配管とすることもできる。
【図面の簡単な説明】
【００４７】
【図１】本発明の一実施例にかかるコネクタ１０を分解して示す斜視図である。
【図２】配管Ｐの挿入未了状態でリテーナ４０を半装着した様子を示す説明図である。
【図３】配管Ｐの挿入完了状態で配管Ｐとコネクタ１０とを配管軸線方向に沿って半断面視して示す説明図である。
【図４】ハウジング２０の案内溝２８の下端部周辺を断面視して示す説明図である。
【図５】リテーナ４０を正面視して示す説明図である。
【図６】突出片６６により半装着の状態とされたリテーナ４０と配管Ｐとの位置関係を示す説明図である。
【図７】配管Ｐの挿入に伴う突出片６６の挙動を示す説明図である。
【図８】他の実施例のコネクタ１０Ａにおける突出片６６Ａと一体のリング部６２Ａとを概略的に示す斜視図である。
【図９】図７相当図でありコネクタ１０Ａにおける突出片６６Ａの挙動を示す説明図である。
【図１０】図９相当図でありコネクタ１０Ｂに突出片６６Ｂの挙動を示す説明図である。
【符号の説明】
【００４８】
１０、１０Ａ、１０Ｂ...コネクタ
２０、２０Ａ、２０Ｂ...ハウジング
２２...装着筐体
２４...チューブ接続部
２６ａ...第１接続孔
２６ｂ...第２接続孔
２６ｃ...第３接続孔
２６ｄ...第４接続孔
２７...環状凹所
２８...案内溝
２８ｂ...係合凹所
２９...リテーナ装着溝
３０...リテーナ装着孔
３５...環状凹所
４０...リテーナ
４１...リテーナ操作部
４２...係合腕
４３...リテーナ係合爪
４４...左右係合腕
４４ｂ...干渉係合端
４６...中央係合腕
４８...円弧周縁
４９...円弧周縁
５６...シール部材
６０、６０Ａ...ストッパリング
６２、６２Ａ...リング部
６４...環状凸部
６６、６６Ａ、６６Ｂ...突出片
６７...溝
６８、６８Ａ、６８Ｂ...干渉部
６９...凹状陥没部
６９Ａ、６９Ｂ...フランジ係合部
Ｐ...配管
Ｐａ...フランジ部
Ｐｂ...接続部
Ｔｂ...チューブ
【図１】
2009236206.tif 000003
【図２】
2009236206.tif 000004
【図３】
2009236206.tif 000005
【図４】
2009236206.tif 000006
【図５】
2009236206.tif 000007
【図６】
2009236206.tif 000008
【図７】
2009236206.tif 000009
【図８】
2009236206.tif 000010
【図９】
2009236206.tif 000011
【図１０】
2009236206.tif 000012